(57)【要約】【課題】撮像装置において、単位時間あたりの連続撮影枚数の増加と、撮影時の静粛性を両立する。【解決手段】本発明の撮像装置は、ステッピングモータによって、複数の羽根部材を駆動する光量調整装置と、前記ステッピングモータを駆動するための駆動パルス信号を出力する制御部と、を備える撮像装置であって、前記光量調整装置を制御するための、目標ＡＶ値と、前記ステッピングモータに入力する駆動パルス信号数との関係を表す、第１光量調整装置制御情報及び第２光量調整装置制御情報を記憶する記憶部を備え、前記制御部は、当該撮像装置によって静止画を連続撮像する場合には、前記第２光量調整装置制御情報を用いて前記光量調整装置を制御し、当該撮像装置によって動画を撮像する場合又は静止画を１枚のみ撮像する場合には前記第２光量調整装置制御情報を用いて前記光量調整装置を制御する。【選択図】図１２
2015079200.tif 000002
【特許請求の範囲】
【請求項１】
レンズ装置と、
前記レンズ装置に備えられ、ステッピングモータによって、光軸の周りに配設された複数の羽根部材を駆動することにより前記複数の羽根部材のそれぞれの縁部により形成される開口の口径を変更可能な光量調整装置と、
前記ステッピングモータを駆動するための駆動パルス信号を出力する制御部と、
を備える撮像装置であって、
前記光量調整装置を制御するための、目標ＡＶ値と、前記ステッピングモータに入力する駆動パルス信号数との関係を表す、第１光量調整装置制御情報及び第２光量調整装置制御情報を記憶する記憶部を備え、
前記制御部は、当該撮像装置によって静止画を連続撮像する場合には、前記第２光量調整装置制御情報を用いて前記光量調整装置を制御し、当該撮像装置によって動画を撮像する場合又は静止画を１枚のみ撮像する場合には前記第２光量調整装置制御情報を用いて前記光量調整装置を制御する
ことを特徴とする撮像装置。
【請求項２】
目標ＡＶ値を同一とした場合に、第１光量調整装置制御情報による駆動パルス信号数は、第２光量調整装置制御情報による駆動パルス信号数よりも多いことを特徴とする請求項１に記載の撮像装置。
【請求項３】
前記複数の羽根部材は、それぞれに係合する複数のトーションバネによって、前記開口の口径を小さくする方向に付勢されていることを特徴とする請求項１又は２に記載の撮像装置。
【発明の詳細な説明】
【技術分野】
【０００１】
本発明は、ステッピングモータによって複数の羽根部材を駆動する光量調整装置を備えた撮像装置に関する。
【背景技術】
【０００２】
スチルカメラやビデオカメラ等の撮像装置に備えられるレンズ装置には、光量調整を行うために、光束が通過する光路上に、いわゆる絞り装置などと呼ばれる光量調整装置を具備したものがある。
【０００３】
光量調整装置としては、例えば特開２０１１−１０７５８４号公報に開示されているように、光軸の周囲に配設された複数の羽根部材を、光軸に平行な軸周りに回動させて開口の口径を変化させる構成が知られている。特開２０１１−１０７５８４号公報に開示されている光量調整装置では、羽根部材をステッピングモータによって駆動している。
【先行技術文献】
【特許文献】
【０００４】
【特許文献１】特開２０１１−１０７５８４号公報
【発明の概要】
【発明が解決しようとする課題】
【０００５】
静止画を撮影する撮像装置では、１秒あたりの連続撮影枚数を増やすことが求められることがある。このため、光量調整装置においては、開放状態から最小絞り状態に至るまでにかかる所要時間を短縮することが望まれる。一方で、撮像装置に対しては、撮像動作時における静粛性が要求されることもあり、静粛性と光量調整装置の動作の高速化の両立が求められる。
【０００６】
本発明は、上述した点に鑑みてなされたものであって、撮像装置において、単位時間あたりの連続撮影枚数の増加と、撮影時の静粛性を両立することを目的とする。
【課題を解決するための手段】
【０００７】
本発明の一態様の撮像装置は、レンズ装置と、前記レンズ装置に備えられ、ステッピングモータによって、光軸の周りに配設された複数の羽根部材を駆動することにより前記複数の羽根部材のそれぞれの縁部により形成される開口の口径を変更可能な光量調整装置と、前記ステッピングモータを駆動するための駆動パルス信号を出力する制御部と、を備える撮像装置であって、前記光量調整装置を制御するための、目標ＡＶ値と、前記ステッピングモータに入力する駆動パルス信号数との関係を表す、第１光量調整装置制御情報及び第２光量調整装置制御情報を記憶する記憶部を備え、前記制御部は、当該撮像装置によって静止画を連続撮像する場合には、前記第２光量調整装置制御情報を用いて前記光量調整装置を制御し、当該撮像装置によって動画を撮像する場合又は静止画を１枚のみ撮像する場合には前記第２光量調整装置制御情報を用いて前記光量調整装置を制御する。
【発明の効果】
【０００８】
本発明によれば、撮像装置において、単位時間あたりの連続撮影枚数の増加と、撮影時の静粛性を両立することが可能である。
【図面の簡単な説明】
【０００９】
【図１】光量調整装置の斜視図である。
【図２】光量調整装置の分解斜視図である。
【図３】図１の矢印［３］方向から見た図であって、光量調整装置の正面図である。
【図４】図３の符号［４］で示す領域）を拡大して示す部分拡大図である。
【図５】羽根部材の平面図である。
【図６】羽根部材の側面図である。
【図７】トーションバネの斜視図である。
【図８】開放状態における、羽根部材と回転駆動板のみを示した図である。
【図９】最小絞り状態における、羽根部材と回転駆動板のみを示した図である。
【図１０】回転駆動板に対して固定された視点における、羽根部材と回転駆動板との関係を示す部分拡大図である。
【図１１】撮像装置の構成を示すブロック図である。
【図１２】撮像時に光量調整装置制御情報を選択する処理を示すフローチャートである。
【図１３】光量調整装置制御情報を説明するためのグラフである。
【発明を実施するための形態】
【００１０】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
まず、本発明の一実施形態の撮像装置３０が備える光量調整装置１０の構成について説明する。図１は、本発明の一実施形態の光量調整装置の外観を示す斜視図である。図２は、図１の光量調整装置の分解斜視図である。図３は、図１の矢印［３］方向から見た図であって、当該光量調整装置の正面図である。図４は、図３の一部（符号［４］で示す領域）を拡大して示す部分拡大図である。
【００１２】
図１〜図３等に示すように、本実施形態の光量調整装置１０は、固定枠部材１１と、回転駆動板１２と、複数の羽根部材１３と、蓋部材１４と、トーションバネ１５と、ステッピングモータ１６と、コイルバネである付勢バネ１８と、位置センサ２０等によって主に構成されている。
【００１３】
光量調整装置１０は、スチルカメラやビデオカメラ等の撮像装置のレンズ装置に備えられる、いわゆる絞り機構を構成するものである。光量調整装置１０は、レンズ装置内における光軸Ｌが通過する開口１０ａを有している。光量調整装置１０は、該開口１０ａの周囲に配設された光軸Ｌと平行な軸周りに回動可能な複数の羽根部材１３を備え、該複数の羽根部材１３を開口１０ａ内に進退させることによって、光軸Ｌに沿う光束が通過可能な口径を変化させる。
【００１４】
この光量調整装置１０の各構成部材のうち、固定枠部材１１は、本光量調整装置１０における基本構成部材である。固定枠部材１１は、全体が略円環形状に形成されており、その略中心部位に略円形状の開口１１ａを有して形成されている。
【００１５】
詳しくは、固定枠部材１１は、円環平面部１１ｐと、外周壁面１１ｍと、内周壁面１１ｎとによって形成されている。ここで、外周壁面１１ｍは円環平面部１１ｐの外周縁部を取り囲むように形成される壁状部である。内周壁面１１ｎは円環平面部１１ｐの内周縁部を取り囲むように形成される壁状部である。この構成により、当該固定枠部材１１は、円環平面部１１ｐと外周壁面１１ｍと内周壁面１１ｎとによって形成される内部空間部を備えた円環状筐体を形成している。そして、固定枠部材１１の内部空間部には、回転駆動板１２及び複数の羽根部材１３が収納配置されている（詳細後述）。また、固定枠部材１１の円環平面部１１ｐに対向する部位は開口しており、この開口部位を覆うように蓋部材１４が配置されている。このように固定枠部材１１と蓋部材１４とによって本光量調整装置１０の筐体部が形成されている。
【００１６】
固定枠部材１１の円環平面部１１ｐの一側面であって、上記内部空間部の形成されている側とは反対側の外面側における所定の部位には、ステッピングモータ１６が複数（本例では２本）のビス１７によって固設されている。そのために、円環平面部１１ｐにおいてステッピングモータ１６の取り付け部位近傍には、複数（本例では２つ）のビス孔１１ｄが穿設されている。
【００１７】
ステッピングモータ１６は、回転駆動板１２を所定のタイミングで所定の回転方向へ所定量だけ回転駆動させるための電動アクチュエータである。本願では一例として、ステッピングモータ１６は、回転する駆動軸を有する。ステッピングモータ１６の駆動軸は、固定枠部材１１の円環平面部１１ｐの所定部位に穿設された貫通孔１１ｆに貫通配置されている。ステッピングモータ１６の駆動軸の先端側にはピニオンギアー１６ａが固設されている。このピニオンギアー１６ａは、回転駆動板１２のセクタギアー１２ｄに噛合している。この構成により、ステッピングモータ１６の回転駆動力は、駆動軸、ピニオンギアー１６ａ、及びセクタギアー１２ｄを介して回転駆動板１２に伝達される。この回転駆動力を受けて、回転駆動板１２は所定方向に所定量だけ回転駆動するように構成されている。
【００１８】
回転駆動板１２は、ステッピングモータ１６の駆動力を受けて複数の羽根部材１３を駆動させるために設けられる羽根駆動部材である。回転駆動板１２は、全体が上記固定枠部材１１よりもやや小径の略円環形状に形成されており、その略中心部位に略円形状の開口１２ａを有して形成されている。回転駆動板１２は、上記固定枠部材１１の内部空間部において、同固定枠部材１１に対して回動自在となるように配設されている。
【００１９】
上記回転駆動板１２の外周縁部の一部位にはセクタギアー１２ｄが形成されている。このセクタギアー１２ｄには、上述したように、上記ステッピングモータ１６のピニオンギアー１６ａが噛合している。
【００２０】
また、上記回転駆動板１２の外周縁部近傍の一部位には、付勢バネ１８の一端を係止するコイルバネ係止部Ａ１２ｂが形成されている。コイルバネ係止部Ａ１２ｂは、回転駆動板１２の径方向に対して略直交する方向に向けて突出するように形成される軸上部位である。このコイルバネ係止部Ａ１２ｂの先端部は、上記付勢バネ１８の一端を係止し得るように略フック状に形成されている。
【００２１】
これに対応させて、上記固定枠部材１１の円環平面部１１ｐにおける所定の部位には、径方向に沿って所定の長さを有する貫通溝部１１ｂが形成されている。これにより、回転駆動板１２を上記固定枠部材１１の内部空間部の所定部位に収納したとき、コイルバネ係止部Ａ１２ｂは、上記貫通溝部１１ｂを貫通して、固定枠部材１１の外面側（円環平面部１１ｐの一側面側）に突出して配置される。そして、この状態において、回転駆動板１２が上記ステッピングモータ１６の駆動力を受けて回動すると、コイルバネ係止部Ａ１２ｂは、上記貫通溝部１１ｂに沿って移動するように構成されている。
【００２２】
一方、上記固定枠部材１１の外面側（円環平面部１１ｐの一側面側）において、上記貫通溝部１１ｂの近傍には、上記コイルバネ係止部Ａ１２ｂと同一方向に向けて突設されるコイルバネ係止部Ｂ１１ｃが形成されている。このコイルバネ係止部Ｂ１１ｃの先端部は、上記付勢バネ１８の他端を係止し得るように略フック状に形成されている。そして、このコイルバネ係止部Ｂ１１ｃに上記付勢バネ１８の他端が係止されている。
【００２３】
上述したように、上記コイルバネ係止部Ａ１２ｂには、例えば緊縮性のコイルバネ等の付勢部材である付勢バネ１８の一端が係止されている。この構成により、固定枠部材１１に対して回動自在に配設されている回転駆動板１２は、付勢バネ１８によって常に一方の回動方向に向けて付勢されている。この場合において、付勢バネ１８による回転駆動板１２の付勢方向としては、例えば回転駆動板１２の回動により駆動される複数の羽根部材１３が光路径を狭める方向（閉方向という）である。また、この例とは別に、付勢バネ１８による回転駆動板１２の付勢方向として、同光路径を開放状態とする方向（開方向という）としてもよい。
【００２４】
他方、回転駆動板１２の円環形状を成す平面部位には、所定のカム曲線を備えた複数のカム溝１２ｃが形成されている。これら複数のカム溝１２ｃには、複数の羽根部材１３の被駆動ピン１３ｃ（後述）がカム嵌合している。すなわち、これら複数のカム溝１２ｃは、複数の羽根部材１３をそれぞれ駆動する駆動部となっている。したがって、複数のカム溝１２ｃは、複数の羽根部材１３と同数形成されている。本実施形態においては、羽根部材１３は７枚配設した例を示している。したがって、本例においては、カム溝１２ｃは７つ形成されている。
【００２５】
複数の羽根部材１３は、互いに重ね合わせて配置することで略円形状の開口を形成し、それぞれが所定の移動を行うことによって、開口の口径を変化させ、通過する光量の調整を行うための遮光部材である。複数の羽根部材１３のそれぞれは、例えば薄板状シート部材等によって構成されている。上述したように、本実施形態においては、７枚の羽根部材１３によって構成した例を示している。
【００２６】
複数の羽根部材１３のそれぞれは、各基部を回動中心として回動可能となるように固定枠部材１１の支軸（図１、図２では不図示）において回動自在に軸支された状態で上記内部空間部に収納配置されている。このとき、複数の羽根部材１３のそれぞれの上記被駆動ピン１３ｃが回転駆動板１２の上記複数のカム溝１２ｃのそれぞれにカム嵌合している。
【００２７】
このように固定枠部材１１の内部空間に回転駆動板１２と複数の羽根部材１３等を収納配置した状態で、固定枠部材１１の開口部位は、蓋部材１４によって覆われている。この場合において、固定枠部材１１と蓋部材１４とは、例えば複数のビス１９等によって締結固定されている。
【００２８】
蓋部材１４は、上記固定枠部材１１と略同径の略円環形状に形成されており、その略中心部位に円形開口１４ａを有して形成されている。そして、蓋部材１４は、固定枠部材１１の開口部位を覆うと共に、該固定枠部材１１の内部空間に収納された部材（回転駆動板１２及び複数の羽根部材１３等）が脱落しないように抑える抑え部材としての役目をしている。
【００２９】
蓋部材１４の内面側（固定枠部材１１の内部空間に向く面）には、内部空間に収納された各羽根部材１３の各被駆動ピン１３ｃ（後述）がそれぞれ係合し、その（羽根部材１３の被駆動ピン１３ｃの）移動をガイドする有底溝１４ｂが形成されている。また、蓋部材１４には、内部空間に収納された各羽根部材１３の回動中心となる基端部近傍をそれぞれ露呈させるための複数の切欠部１４ｃが（羽根部材１３と同数）形成されている。
【００３０】
さらに、蓋部材１４の上記切欠部１４ｃの各近傍には、トーションバネ１５の一腕１５ｂ（後述する；図４参照）を引掛けるトーションバネ係止部Ａ１４ｄと、トーションバネ１５の本体部１５ｃを巻装保持するバネ支軸１４ｅとが設けられている（図１，図２では不図示。図３，図４参照）。上記トーションバネ係止部Ａ１４ｄ及び上記バネ支軸１４ｅは、蓋部材１４の円環形状をなす平面部の外面側から外方に向けて突出して形成されている。上記トーションバネ係止部Ａ１４ｄの先端部は、トーションバネ１５の一腕１５ｂを係止し得るように略フック状に形成されている。そして、このトーションバネ係止部Ａ１４ｄには上記トーションバネ１５の一腕１５ｂが係止されている。また、上記バネ支軸１４ｅの先端部は、上記トーションバネ１５の本体部１５ｃが抜け落ちないように略フック状に形成されている。
【００３１】
トーションバネ１５は、複数の羽根部材１３による口径を閉じる方向若しくは開く方向となるように上記羽根部材１３を常に一方向へと付勢する付勢部材である。本実施形態においては、上記トーションバネ１５の付勢力の方向は、羽根部材１３を閉じ方向とするように設定されているものとする。
【００３２】
ここで、トーションバネ１５自体の詳細構成を、図７を用いて説明する。図７は、本実施形態の光量調整装置１０に適用されるトーションバネ１５を拡大して示す拡大斜視図である。
【００３３】
トーションバネ１５は、コイル状に巻回された本体部１５ｃと、この本体部１５ｃの一端から延出する一腕１５ｂと、同本体部１５ｃの他端から延出する他腕１５ａとを有して形成されている。このトーションバネ１５は、ねじり方向の付勢力を利用する付勢部材である。トーションバネ１５は、複数の羽根部材１３のそれぞれに対応して一つずつ設けられている。
【００３４】
図４に拡大して示すように、トーションバネ１５の本体部１５ｃは、バネ支軸１４ｅに巻回されている。バネ支軸１４ｅは、羽根部材１３を回動可能に軸支する固定枠部材１１に設けられた支軸と略同軸上に配置されている。トーションバネ１５の一腕１５ｂは、蓋部材１４のトーションバネ係止部Ａ１４ｄに係止され、他腕１５ａは、羽根部材１３に設けられたトーションバネ係止部Ｂ１３ｅに係止されている。
【００３５】
また、本実施形態の光量調整装置１０においては、回転駆動板１２の位置を検出する位置センサ２０を有している。位置センサ２０は、例えばフォトインタラプタ(Photointerrupter)等が適用される。位置センサ２０は、固定枠部材１１と蓋部材１４とを合わせた形態の筐体部の内部における所定の部位、すなわち図２の符号１４ｆで示される凹状部内に配置して接着などの手段を用いて該筐体部に固設されている。これに対応させて、回転駆動板１２の外周縁部には、上記位置センサ２０に作用する遮光羽根部１２ｅが形成されている。そして、この遮光羽根部１２ｅが上記位置センサ２０の送受光部の間を通過し得るように構成されている。
【００３６】
図５，図６は、本実施形態の光量調整装置１０に適用される羽根部材１３を拡大して示す図である。このうち図５は羽根部材１３の平面図である。図６は羽根部材１３の側面図である。
【００３７】
図示のように、羽根部材１３は、上述したように、例えば薄板状シート部材等によって形成される遮光部材である。羽根部材１３は、略三日月状（lunate）に形成され当該羽根部材１３の主要部である主羽根部１３ａと、回転駆動板１２のカム溝１２ｃにカム嵌合して当該羽根部材１３を駆動させる被駆動ピン１３ｃと、トーションバネ１５の他腕１５ａを係止するトーションバネ係止部Ｂ１３ｅと、固定枠部材１１の支軸が貫通する貫通孔１３ｄを有する支持部１３ｈ等を有して構成されている。
【００３８】
このように構成される複数の羽根部材１３は、固定枠部材１１に設けられた複数の支軸のそれぞれによって回動自在に軸支されている。この構成を具体的に説明すると、次のようになる。すなわち、上記支軸は、例えば固定枠部材１１の円環平面部１１ｐの他側面側（内部空間部の内側面）において、上記複数の羽根部材１３のそれぞれに対応する数だけ（本実施形態では７本）、径方向に所定間隔をおいて全周に亘って植設されている。
【００３９】
そして、上記複数の支軸のそれぞれに対して、各羽根部材１３の基部に設けられる支持部１３ｈの貫通孔１３ｄがそれぞれ挿通している。これによって、羽根部材１３は、当該支軸１１ｅを中心軸として回動可能に軸支されている。そして、このとき、羽根部材１３は、固定枠部材１１の内部空間部に収納配置されている状態にある。したがって、羽根部材１３は、固定枠部材１１の内部空間部において所定の範囲内で回動可能に収納配置されている。
【００４０】
また、羽根部材１３は、前述したトーションバネ１５によって、支軸周りに、主羽根部１３ａが光軸Ｌに近づく方向に付勢されている。言い換えれば、トーションバネ１５は、羽根部材１３を、絞り込む方向に付勢している。
【００４１】
このように、光量調整装置１０が備える複数の羽根部材１３のそれぞれを、複数のトーションバネ１５によって絞り込む方向に付勢することによって、光量調整装置１０が開放状態から所定のＡＶ値の絞り込み状態へ遷移する場合の、羽根部材１３の停止位置の繰り返し精度が向上する。
【００４２】
図８は、光量調整装置１０において通過光量を最も大きくした状態（開放状態）の、羽根部材１３と回転駆動板１２のみを示した図である。図９は、光量調整装置１０において通過光量を最も小さくした状態（最小絞り状態）の、羽根部材１３と回転駆動板１２のみを示した図である。また、図１０は、回転駆動板１２に対して固定された視点における、羽根部材１３と回転駆動板１２との関係を示すための拡大図である。
【００４３】
図１０に示すように、回転駆動板１２と固定枠部材１１とが光軸Ｌ周りに相対的に回動すれば、カム溝１２ｃと被駆動ピン１３ｃとの係合によって、羽根部材１３は固定枠部材１１に設けられた支軸周りに回動する。羽根部材１３の支軸は光軸Ｌに平行であり、羽根部材１３が支軸周りに回動することによって、主羽根部１３ａは、光軸Ｌに近づく又は遠ざかるように移動する。そして、光量調整装置１０では、開口１０ａの周囲に配設された複数の絞り羽根１３の主羽根部１３ａの縁部１３ｉによって、光束が通過可能な開口の形状が定められる。
【００４４】
図９に示すように、ステッピングモータ１６によって、回転駆動板１２が固定枠部材１１に対して相対的に光軸Ｌ周りに閉方向（図９中矢印Ｃで示す方向）に駆動された場合には、複数の羽根部材１３は、主羽根部１３ａが光軸Ｌに近づく方向に回動し、光束が通過可能な開口の面積が狭くなる。
【００４５】
また、図８に示すように、ステッピングモータ１６によって、回転駆動板１２が固定枠部材１１に対して相対的に光軸Ｌ周りに閉方向とは反対方向である開方向（図８中矢印Ｏで示す方向）に駆動された場合には、複数の羽根部材１３は、主羽根部１３ａが光軸Ｌから遠ざかる方向に回動し、光束が通過可能な開口の面積が広くなる。
【００４６】
以上に説明した構成を有する光量調整装置１０は、撮像装置３０に用いられるレンズ装置２１内に配設されている。図１１は、撮像装置３０の構成を示すブロック図である。
【００４７】
本実施形態では一例として、撮像装置３０は、一般に電子カメラ、デジタルカメラ等と称される形態を有し、被写体像を結像する撮像用レンズ２２を備えたレンズ装置２１と、撮像素子３２を備えたカメラ本体部３１とによって構成されている。撮像装置３０は、撮像用レンズ２２によって結像された光学像（被写体像）を撮像素子３２によって電気信号に変換し、電子データとして出力することが可能に構成されている。なお、撮像装置３０の公知の構成については概略のみを説明するものとし、詳細な説明は省略するものとする。
【００４８】
カメラ本体部３１は、撮像素子３２、電源部３３、制御部３４、記憶装置３５、画像表示装置３６、タッチパネル（操作部材）３７を有して構成されている。
【００４９】
撮像素子３２は、ＣＣＤやＣＭＯＳセンサ等のイメージセンサである。撮像素子３２は、撮像用レンズ２２によって結像された光学像を電気信号に変換する。
【００５０】
電源部３３は、１次電池、２次電池、及び商用電源に接続可能なＡＣアダプタのいずれかからなり、撮像装置３０の各構成を駆動するための電力を供給するように構成されている。電源部３３は、撮像装置３０に対して着脱可能な形態であってもよい。
【００５１】
制御部３４は、演算装置（ＣＰＵ）、記憶装置（ＲＡＭ）、補助記憶装置、入出力装置等を具備して構成されており、撮像装置３４の動作を、所定のプログラムに基づいて制御する構成を有している。制御部３４は、レンズ通信部３８を介して後述するレンズ装置２１のレンズ制御部２３との間で通信可能に構成されている。
【００５２】
記憶装置３５は、フラッシュメモリやハードディスクドライブ等によって構成されている。記憶装置３５は、撮像素子３２によって撮像された画像の電子データを記憶可能である。
【００５３】
画像表示装置３６は、画像を表示可能な液晶表示装置又は有機ＥＬ表示装置等からなる。画像表示装置３６は、撮像装置３０の撮像動作時において、撮像素子３２によって撮像された画像を逐次に表示するライブビュー表示を行ったり、撮像装置３０の動作モードや撮影条件等の設定を変更するためのメニュー表示を行う。
【００５４】
操作部材であるタッチパネル３７は、画像表示装置３６の表示面上に配設されており、使用者の一つ又は複数の手指やスタイラス等の器具が触れた位置もしくは近接した位置を検出可能に構成されている。なお、撮像装置３０が備える操作部材は、タッチパネルの形式に限らず、ダイヤルスイッチやプッシュスイッチ等の他の形式であってもよい。
【００５５】
また、撮像装置３０は、レリーズスイッチ３９及び電源スイッチ４０を有している。レリーズスイッチ３９は、例えば押しボタンスイッチであり、使用者が、撮像指示を入力するためのものである。電源スイッチ４０は、例えば押しボタンスイッチやレバースイッチであり、使用者が、撮像装置３０の起動及びシャットダウンの指示を入力するためのものである。
【００５６】
レンズ装置２１は、撮像用レンズ２２、光量調整装置１０、フォーカスレンズ駆動部２４、レンズ制御部２３、記憶部２５を有して構成されている。
【００５７】
レンズ装置２１は、カメラ本体部３１に対して着脱可能な、いわゆるシステムカメラの交換レンズの形態であってもよいし、カメラ本体部３１に対して固定された形態であってもよい。また、撮像装置３０は、レンズ装置２１と撮像素子３２とが一つのユニットとして構成されており、当該ユニットを交換可能な形態であってもよい。
【００５８】
レンズ装置２１において、光量調整装置１０は、撮像用レンズ２２の光路上に配設されている。また、フォーカスレンズ駆動部２４は、撮像用レンズ２２を構成するレンズ群の一部又は全部を、光軸Ｌに平行に駆動する電動アクチュエータ等を備えている。
【００５９】
レンズ制御部２３は、演算装置、記憶装置、補助記憶装置、入出力装置等を具備して構成されており、光量調整装置１０及びフォーカスレンズ駆動部２４の動作を、所定のプログラムに基づいて制御する構成を有している。レンズ制御部２３は、通信部２６を介してカメラ本体部３１が備える制御部３４と通信可能である。レンズ制御部２３は、カメラ本体部３１の制御部３４と連携して光量調整装置１０及びフォーカスレンズ駆動部２４の動作を制御する。
【００６０】
記憶部２５は、フラッシュメモリ等からなり、レンズ装置２１の撮像用レンズ２２の焦点距離や開放Ｆ値等の特性値を記憶する。また、記憶部２５は、レンズ制御部２３が光量調整装置１０及びフォーカスレンズ駆動部２４の動作を制御するために必要なパラメータを記憶している。
【００６１】
次に、撮像装置３０の動作について説明する。図１２に示すフローチャートは、電源スイッチ４０が操作されて、撮像装置３０が電源オフ状態からオン状態に移行した後であって、さらにレリーズスイッチ３９が押下されて使用者からの撮像の指示が入力された場合に実行される、もしくは撮像装置３０の不図示のメインルーチン中の適宜の箇所において実行されるサブルーチンである。なお、撮像装置３０が起動した後に実行されるメインルーチンに関しては、公知の撮像装置と同様であるため、説明を省略するものとする。
【００６２】
図１２に示すサブルーチンは、撮像装置３０の撮像動作時において、以下に説明するように光量調整装置１０の動作制御モードを選択するための処理である。
【００６３】
光量調整装置１０が備えるステッピングモータ１６は、レンズ制御部２３から入力される駆動パルス信号の数に比例した角度で駆動軸（ピニオンギアー１６ａ）を回転駆動する。すなわち、光量調整装置１０において、複数の羽根部材１３を開放状態から目標のＡＶ値となる位置にまで駆動する（絞り込む）場合には、目標ＡＶ値に対して予め定められた数の駆動パルス信号をステッピングモータ１６に入力する必要がある。
【００６４】
この、光量調整装置１０の目標ＡＶ値と、ステッピングモータ１６に入力する駆動パルス信号の数との関係を表す情報を、以下では光量調整装置制御情報と称する。光量調整装置制御情報は、レンズ装置２１が備える記憶部２５に記憶されており、光量調整装置１０を動作させる場合に、レンズ制御部２３によって参照される。
【００６５】
光量調整装置制御情報は、目標ＡＶ値と駆動パルス信号の数との関係を表すものであればよい。例えば、光量調整装置制御情報は、開放状態から最小絞りまでの目標ＡＶ値と、駆動パルス信号の数との関係を、連続的に表す直線又は曲線の関数であってもよい。また例えば、光量調整装置制御情報は、開放状態から最小絞りまでの有限の数の目標ＡＶ値と、この有限の数の目標ＡＶ値にそれぞれ対応する駆動パルス信号の数とからなるテーブル状のデータであってもよい。
【００６６】
ここで、本実施形態の撮像装置３０においては、複数の光量調整装置制御情報を記憶部２５に記憶している。より具体的には、第１光量調整装置制御情報Ｃ１と第２光量調整装置制御情報の２つの光量調整装置制御情報Ｃ２を記憶部２５に記憶している。
【００６７】
第１光量調整装置制御情報Ｃ１及び第２光量調整装置制御情報を、図１３にグラフとして示す。図１３において、横軸は目標ＡＶ値を表し、右に行くほど光量が少なくなる。なお、図１３における目標ＡＶ値は、開放状態である場合のＡＶ値に対する差分（増加分）であり、絶対値ではない。すなわち、目標ＡＶ値が０である場合が開放状態である。図１３において縦軸は、開放状態から駆動させる駆動パルス信号数を表している。また、図１３において、第１光量調整装置制御情報Ｃ１を破線によって示し、第２光量調整装置制御情報Ｃ２を一点鎖線によって示している。
【００６８】
図１３に示すように、第１光量調整装置制御情報Ｃ１と、第２光量調整装置制御情報Ｃ２とでは、同一の目標ＡＶ値に対する、駆動パルス信号数が異なる。具体的には、目標ＡＶ値を同一とした場合に、第１光量調整装置制御情報Ｃ１による駆動パルス信号数は、第２光量調整装置制御情報Ｃ２のものよりも多い。すなわち本実施形態の撮像装置３０においては、同一の目標ＡＶ値に対して、第１光量調整装置制御情報Ｃ１と、第２光量調整装置制御情報Ｃ２とでは、ステッピングモータ１６の回動角度が異なる。
【００６９】
なお、第１光量調整装置制御情報Ｃ１及び第２光量調整装置制御情報Ｃ２は、グラフ上において直線を描く１次関数でなくともよく、曲線を描く高次の関数であってもよい。第１光量調整装置制御情報Ｃ１及び第２光量調整装置制御情報Ｃ２は、羽根部材１３の形状とカム溝１３の形状によって適宜に定められる。
【００７０】
図１２に示すサブルーチンは、光量調整装置１０を駆動する場合において、第１光量調整装置制御情報Ｃ１及び第２光量調整装置制御情報Ｃ２のどちらを選択するかを決定する処理である。
【００７１】
図１２に示すサブルーチンにおいては、まずステップＳ０１において、撮像装置３０が動画撮像モードであるか否かを判定する。動画撮像モードである場合には、ステップＳ０５に移行し、第１光量調整装置制御情報Ｃ１を選択する。
【００７２】
ステップＳ０１の判定において、動画撮像モードではないと判定した場合には、ステップＳ０２に移行する。ステップＳ０２においては、撮像装置３０がレリーズスイッチ３９の１度の押下に応じて静止画を１枚のみ撮像する１枚撮像モードであるか否かを判定する。１枚撮像モードである場合には、ステップＳ０５に移行し、第１光量調整装置制御情報Ｃ１を選択する。
【００７３】
ステップＳ０２の判定において、１枚撮像モードではないと判定した場合には、ステップＳ０３に移行する。ステップＳ０３においては、撮像装置３０がレリーズスイッチ３９が押下されている間に連続して静止画を撮像する連続撮像モードであるか否かを判定する。連続撮像モードである場合には、ステップＳ０６に移行し、第２光量調整装置制御情報Ｃ２を選択する。ステップＳ０３の判定において、連続撮像モードではないと判定した場合には、ステップＳ０５に移行し、第１光量調整装置制御情報Ｃ１を選択する。
【００７４】
以上に説明したように、図１２に示すサブルーチンでは、撮像装置３０が連続撮像モードである場合に第２光量調整装置制御情報Ｃ２を選択し、その他の動画撮像や１枚撮像の撮像モードである場合には第１光量調整装置制御情報Ｃ１を選択する。
【００７５】
本実施形態では、撮像装置３０が連続撮像モードである場合には、光量調整装置１０が開放状態から目標ＡＶ値である絞り込み状態に短い時間で遷移するように、他の撮像モードよりもステッピングモータ１６の回動速度を上げている。すなわち、本実施形態では、絞り込み動作時における羽根部材１３の回動速度が、連続撮像モードである場合と、他の撮像モードである場合とで異なり、連続撮像モードの羽根部材１３の回動速度の方が他の撮像モードよりも高い。
【００７６】
ここで、羽根部材１３は、前述のように複数存在し、それぞれが重なり合っている。このため、複数の羽根部材１３の間には摩擦力が生じる。一方で、羽根部材１３の回動速度が変化すれば、羽根部材１３の回動時に生じる羽根部材１３の慣性力も同様に変化する。よって、羽根部材１３の回動速度が変化することによって、羽根部材１３の慣性力と、羽根部材１３に加わる摩擦力との関係が変化する。
【００７７】
このように羽根部材１３の回動速度に変化に応じて羽根部材１３の慣性力と羽根部材１３に加わる摩擦力との関係が変化することによって、ステッピングモータ１６を同一の角度だけ回動させた場合であっても、羽根部材１３の実際の停止位置がステッピングモータ１６の回動速度の変化に応じて異なる位置となってしまう。
【００７８】
そこで、本実施形態の撮像装置３０では、前述のように、ステッピングモータ１６を高速で動かす、すなわち羽根部材１３を高速で回動させる連続撮像モードである場合には、ステッピングモータ１６を比較的低速で動かすその他の撮像モードに比して、ある目標ＡＶ値に対する駆動パルス信号数を少なくする。
【００７９】
すなわち本実施形態では、羽根部材１３を高速に回動させる連続撮像モードでは、羽根部材１３が停止時において慣性力によってより大きく動くことを見込んで、ある所定の目標ＡＶ値に対するステッピングモータ１６の回動角度を、他の撮像モードよりも小さくしている。このことにより、羽根部材１３を高速に回動させる連続撮像モードであっても、羽根部材１３を、目標ＡＶ値となる位置に略正確に停止させることができる。
【００８０】
また本実施形態では、撮像装置３０が１枚撮像モードや動画撮像モードである場合には、羽根部材１３を比較的低速で回動させればよい、光量調整装置１０の動作音を抑制し、静粛性を高めることができる。
【００８１】
以上に説明したように、本実施形態の撮像装置３０は、連続撮像モード時における単位時間あたりの連続撮影枚数の増加と、１枚撮像モード時や動画撮像モード時における静粛性の向上とを実現可能である。
【００８２】
なお、本発明は、上述した実施形態に限られるものではなく、請求の範囲及び明細書全体から読み取れる発明の要旨或いは思想に反しない範囲で適宜変更可能であり、そのような変更を伴う光量調整装置もまた本発明の技術的範囲に含まれるものである。
【００８３】
本発明に係る光量調整装置は、いわゆるスチルカメラに備えられる形態に限らず、ビデオカメラ、携帯通信端末等の撮像機能を備えた電子機器に備えられる形態であってもよいことは言うまでもない。
【符号の説明】
【００８４】
１０    光量調整装置、
１０ａ    開口、
１１    固定枠部材、
１１ａ    開口、
１１ｂ    貫通溝部、
１１ｄ    ビス孔、
１１ｃ    コイルバネ係止部、
１１ｆ    貫通孔、
１１ｍ    外周壁面、
１１ｎ    内周壁面、
１１ｐ    円環平面部、
１２    回転駆動板、
１２ｂ    コイルバネ係止部Ａ、
１２ｃ    カム溝、
１２ｄ    セクタギアー、
１２ｅ    遮光羽根部、
１３    羽根部材、
１３ａ    主羽根部、
１３ｃ    被駆動ピン、
１３ｄ    貫通孔、
１３ｅ    トーションバネ係止部、
１３ｈ    支持部、
１３ｉ    縁部、
１４    蓋部材、
１４ａ    開口、
１４ｂ    有底溝、
１４ｃ    切欠部、
１４ｄ    トーションバネ係止部Ａ、
１４ｅ    バネ支軸、
１５    トーションバネ、
１５ａ    他腕、
１５ｂ    一腕、
１５ｃ    本体部、
１６    ステッピングモータ、
１６ａ    ピニオンギアー、
１７    ビス、
１８    付勢バネ、
１９    ビス、
２０    位置センサ、
２１    レンズ装置、
２２    撮像用レンズ、
２３    レンズ制御部、
２５    記憶部、
２４    フォーカスレンズ駆動部、
２６    通信部
３０    撮像装置、
３１    カメラ本体部、
３２    撮像素子、
３３    電源部、
３４    制御部、
３５    記憶装置、
３６    画像表示装置、
３７    タッチパネル（操作部材）、
３８    レンズ通信部、
３９    レリーズスイッチ、
４０    電源スイッチ、
Ｃ１    第１光量調整装置制御情報、
Ｃ２    第２光量調整装置制御情報、
Ｌ    光軸。
【図１】
2015079200.tif 000003
【図２】
2015079200.tif 000004
【図３】
2015079200.tif 000005
【図４】
2015079200.tif 000006
【図５】
2015079200.tif 000007
【図６】
2015079200.tif 000008
【図７】
2015079200.tif 000009
【図８】
2015079200.tif 000010
【図９】
2015079200.tif 000011
【図１０】
2015079200.tif 000012
【図１１】
2015079200.tif 000013
【図１２】
2015079200.tif 000014
【図１３】
2015079200.tif 000015